(57)【要約】【課題】ローマンシェードなどの電動サンシェード装置において、シェードの最下点を簡便かつ確実に検知する。【解決手段】シェード巻き取り紐９の張力を検出するリミッターアーム１７と、シェード巻き取り紐９の張力が低下したときに最下点到達信号を出力するセンサー１３と、最下点到達信号を受けてシェード巻き取り紐９の動作を停止させる主制御部が設けられている。これにより、シェードの下端部が最下点に達すると、シェード巻き取り紐９が緩んで張力が急激に低下する。すると、リミッターアーム１７が下方に揺動し、マグネット１６がセンサー１３に接近する。その結果、シェード巻き取り紐９の送り出し動作が停止し、シェードの下降動作が完了する。【選択図】図５
2007125275.tif 000002
【特許請求の範囲】
【請求項１】
シェード昇降線状体を上下させてシェードを昇降させる電動サンシェード装置において、
前記シェード昇降線状体の張力が低下したときに最下点到達信号を出力する信号出力手段が設けられていることを特徴とする、電動サンシェード装置の最下点ストップリミッター。
【請求項２】
前記シェード昇降線状体の張力を検出する張力検出手段が設けられていることを特徴とする、請求項１に記載の電動サンシェード装置の最下点ストップリミッター。
【請求項３】
請求項１または２に記載の最下点ストップリミッターを具備していることを特徴とする電動サンシェード装置。
【請求項４】
前記最下点ストップリミッターからの最下点到達信号を受けて前記シェード昇降線状体の動作を停止させる線状体停止手段が設けられていることを特徴とする、請求項３に記載の電動サンシェード装置。
【請求項５】
シェード巻き取りを上下させてシェードを昇降させる電動サンシェード装置において、
前記シェード昇降線状体の張力の低下によって前記シェードの最下点を検知することを特徴とする、電動サンシェード装置のシェード最下点検知方法。
【発明の詳細な説明】
【技術分野】
【０００１】
本発明は、ローマンシェードなどの電動サンシェード装置と、その最下点ストップリミッターおよびシェード最下点検知方法に関するものである。
【背景技術】
【０００２】
従来、この種の電動サンシェード装置においては、シェード（スクリーン）の最下点をリミットスイッチで検知する技術（以下、公知技術１という。）が提案されていた（例えば、特許文献１参照）。
【特許文献１】特開２００１−２７５８２７号公報（段落〔００１２〕の欄）
【発明の開示】
【発明が解決しようとする課題】
【０００３】
しかし、この公知技術１では、リミットスイッチによる検知機構が不詳であり、シェードの最下点を簡便かつ確実に検知することが望まれていた。
【０００４】
本発明は、こうした要望に応えることが可能な、電動サンシェード装置、その最下点ストップリミッターおよびシェード最下点検知方法を提供することを目的とする。
【課題を解決するための手段】
【０００５】
まず、請求項１に係る電動サンシェード装置の最下点ストップリミッターの発明では、シェード昇降線状体を上下させてシェードを昇降させる電動サンシェード装置において、前記シェード昇降線状体の張力が低下したときに最下点到達信号を出力する信号出力手段が設けられていることを特徴とする。
また、請求項２に係る電動サンシェード装置の最下点ストップリミッターの発明では、前記シェード昇降線状体の張力を検出する張力検出手段が設けられていることを特徴とする。
また、請求項３に係る電動サンシェード装置の発明では、請求項１または２に記載の最下点ストップリミッターを具備していることを特徴とする。
また、請求項４に係る電動サンシェード装置の発明では、前記最下点ストップリミッターからの最下点到達信号を受けて前記シェード昇降線状体の動作を停止させる線状体停止手段が設けられていることを特徴とする。
また、請求項５に係る電動サンシェード装置のシェード最下点検知方法の発明では、シェード巻き取りを上下させてシェードを昇降させる電動サンシェード装置において、前記シェード昇降線状体の張力の低下によって前記シェードの最下点を検知することを特徴とする。
【発明の効果】
【０００６】
本発明によれば、シェード昇降線状体の張力の低下によってシェードの最下点が検知されることから、シェードの最下点を簡便かつ確実に検知することができる。
【発明を実施するための最良の形態】
【０００７】
以下、本発明の実施形態を図面に基づいて説明する。
【０００８】
図１は本発明に係る電動サンシェード装置の一実施形態のシェード上昇状態を示す正面図、図２は図１の電動サンシェード装置の最下点ストップリミッター近傍を示す右側面図、図３は図１の電動サンシェード装置のシェード下降状態を示す正面図、図４は図３の電動サンシェード装置の最下点ストップリミッター近傍を示す右側面図、図５は図１の電動サンシェード装置の最下点ストップリミッターを示す斜視図、図６は図１の電動サンシェード装置のアーム支持ブラケットを示す正面図（左図）および右側面図（右図）、図７は図１の電動サンシェード装置のマグネットホルダーを示す正面図（上左図）、右側面図（上右図）および底面図（下図）、図８は図１の電動サンシェード装置のリミッターアームを示す正面図、図９は図１の電動サンシェード装置のモーターコントローラーを示す制御ブロック図である。
【０００９】
電動サンシェード装置１は、図１および図３に示すように、ボックスや内壁に取り付けられるアルミニウム製のヘッドレール２を有している。ヘッドレール２の前面には面ファスナー３を介してシェード（日よけ）５が着脱自在に取り付けられており、シェード５の下端部にはウェイトバー４が水平に縫い込まれている。また、ヘッドレール２には巻き取りドラム６が、その両端に設置された一対のシンクロナスモーター７により、正逆方向に回転自在に支持されており、巻き取りドラム６には複数本（例えば、５本）のシェード巻き取り紐（シェード昇降線状体）９が互いに等間隔で垂設されている。各シェード巻き取り紐９は、図２および図３に示すように、その下端部がシェード５の下端部に止め付けられているとともに、シェード５の裏面に一定の高さごとに縦に一列に並んで縫い付けられた複数個（例えば、５個）のリング１０に挿通されている。
【００１０】
また、ヘッドレール２の下面には、図１に示すように、最下点ストップリミッター１１が水平方向に摺動自在に嵌合しており、最下点ストップリミッター１１は、図５に示すように、合成樹脂製のアーム支持ブラケット１２、センサー（信号出力手段）１３、合成樹脂製のマグネットホルダー１５、マグネット１６、ステンレス製のリミッターアーム（張力検出手段）１７などから構成されている。
【００１１】
ここで、アーム支持ブラケット１２は、図６に示すように、長方形平板状の基板１２ａを有しており、基板１２ａの裏面上部には、ヘッドレール２に係合するレール係合部１２ｂが形成されている。さらに、基板１２ａの表面下部にはセンサー１３が貼設されている。また、基板１２ａの左右両端部には、一対の立ち上がり片１２ｃが形成されており、各立ち上がり片１２ｃにはそれぞれ円孔１２ｄが穿設されている。
【００１２】
そして、これらの円孔１２ｄにはマグネットホルダー１５が揺動自在に嵌合している。このマグネットホルダー１５は、図７に示すように、長方形平板状の本体１５ａを有しており、本体１５ａの左右両端部には、アーム支持ブラケット１２の一対の円孔１２ｄに嵌合する一対のピン１５ｂが突設されている。また、本体１５ａの表面下部にはマグネット１６が貼設されており、本体１５ａの下面には２個の丸穴１５ｃが凹設されている。
【００１３】
そして、これらの丸穴１５ｃにはリミッターアーム１７が装着されている。このリミッターアーム１７は、図８に示すように、所定の線径（例えば、２．５ｍｍ）のステンレス線材をループ状に折り曲げて形成したものである。なお、１本のシェード巻き取り紐９は、図２および図５に示すように、リミッターアーム１７の内側に挿通されて係合している。
【００１４】
また、ヘッドレール２の上部には、図１に示すように、モーターコントローラー２１が組み込まれており、モーターコントローラー２１は、図９に示すように、ＣＰＵ（中央演算処理装置）などの主制御部（線状体停止手段）２２を有している。主制御部２２には、リモコン受光部２３、シンクロナスモーター７、センサー１３、上限メモリー２５が接続されている。
【００１５】
さらに、電動サンシェード装置１は、図９に示すように、シェード５の昇降（開閉）を遠隔操作するための赤外線リモコンなどのリモコン（リモートコントローラー）２９を備えており、リモコン２９には、上昇ボタン２９ａ、停止ボタン２９ｂ、下降ボタン２９ｃ、上限設定ボタン２９ｄ、発光部２９ｅが設けられている。
【００１６】
以上のような構成を有する電動サンシェード装置１において、シェード５を下ろす際には、リモコン２９の下降ボタン２９ｃを押す。すると、所定のシェード下降信号が発光部２９ｅから送信され、リモコン受光部２３に受信される。これを受けて主制御部２２は、一対のシンクロナスモーター７を駆動して巻き取りドラム６を正方向に回転させる。その結果、シェード巻き取り紐９が巻き取りドラム６から解かれて下向きに送り出されるため、シェード５の下端部はウェイトバー４の自重で引っ張られて下降していく。このとき、シェード巻き取り紐９には張力が作用しているため、図３に示すように、最下点ストップリミッター１１のリミッターアーム１７がマグネットホルダー１５とともに自重に抗する形で上方に位置し、マグネット１６がセンサー１３から離れた状態となっている。
【００１７】
そして、シェード５の下端部が最下点に達すると、シェード５は伸びきっているにもかかわらず、巻き取りドラム６が依然としてシェード巻き取り紐９を下方へ送り出すため、シェード巻き取り紐９が緩んで張力が急激に低下する。そのため、図４に示すように、最下点ストップリミッター１１のリミッターアーム１７がマグネットホルダー１５とともに自重で下方に揺動し、マグネット１６がセンサー１３に接近する。すると、センサー１３は、主制御部２２に最下点到達信号を出力する。この最下点到達信号を受けて主制御部２２は、シェード５の下端部が最下点に達したと認識し、それまでのシンクロナスモーター７の駆動を停止させる。その結果、巻き取りドラム６の回転が止まり、シェード巻き取り紐９の送り出し動作が停止する。ここで、シェード５の下降動作が完了する。
【００１８】
このように、電動サンシェード装置１では、シェード巻き取り紐９の張力の低下によってシェード５が最下点に達したと認識するため、シェード５の最下点を簡便かつ確実に検知することができる。
【００１９】
なお、シェード５の下降中にシェード５を任意の位置で止めることもできる。それには、シェード５が所望の位置まで下降したところで、リモコン２９の停止ボタン２９ｂを押す。すると、所定のシェード停止信号が発光部２９ｅから送信され、リモコン受光部２３に受信される。これを受けて主制御部２２は、それまでのシンクロナスモーター７の駆動を停止させる。その結果、巻き取りドラム６の回転が止まり、シェード５が現在位置で停止する。
【００２０】
一方、シェード５を上げる際には、リモコン２９の上昇ボタン２９ａを押す。すると、所定のシェード上昇信号が発光部２９ｅから送信され、リモコン受光部２３に受信される。これを受けて主制御部２２は、一対のシンクロナスモーター７を駆動して巻き取りドラム６を逆方向に回転させる。その結果、シェード巻き取り紐９が巻き取りドラム６に巻き取られていくため、シェード５の下端部はウェイトバー４の重量に抗する形で上昇する。このとき、シェード巻き取り紐９には張力が作用しているため、図３に示すように、最下点ストップリミッター１１のリミッターアーム１７がマグネットホルダー１５とともに上方に位置していることから、最下点ストップリミッター１１の誤動作を招く恐れはない。
【００２１】
なお、シェード５の上昇中にシェード５を任意の位置で止めることもできる。それには、シェード５が所望の位置まで上昇したところで、リモコン２９の停止ボタン２９ｂを押す。すると、所定のシェード停止信号が発光部２９ｅから送信され、リモコン受光部２３に受信される。これを受けて主制御部２２は、それまでのシンクロナスモーター７の駆動を停止させる。その結果、巻き取りドラム６の回転が止まり、シェード５が現在位置で停止する。
【００２２】
このように、電動サンシェード装置１では、巻き取りドラム６の駆動源としてシンクロナスモーター７を採用しているので、シェード５の昇降音が極めて静かであるとともに、消費電力が少なくなる。また、このシンクロナスモーター７を２個一対で使用しているため、各シンクロナスモーター７のトルクが少なくて済むことから、コンパクト設計に対応可能となる。
【００２３】
ところで、主に電動サンシェード装置１の意匠上の要請から、シェード５を上げるときに、シェード５の下端部が最上点まで上がりきらない途中位置を上限としたい場合がある。この場合、シェード５の上限位置を予め設定しておくことにより、シェード５を途中位置で自動的に止めることもできる。
【００２４】
それには、リモコン２９の上昇ボタン２９ａ、下降ボタン２９ｃ、停止ボタン２９ｂを適宜押すことにより、シェード５を所望の位置で止め、この状態でリモコン２９の上限設定ボタン２９ｄを押す。すると、所定の上限設定信号が発光部２９ｅから送信され、リモコン受光部２３に受信される。これを受けて主制御部２２は、シェード５の現在位置を上限位置として上限メモリー２５に記憶する。これで、シェード５の上限の設定動作が終了する。
【００２５】
こうしてシェード５の上限が設定されたところで、一旦シェード５を下ろしてからリモコン２９の上昇ボタン２９ａを押す。すると、上述したとおり、シェード５は上昇するが、シェード５が上限位置に達したところで、主制御部２２は、シンクロナスモーター７の駆動を停止させる。その結果、巻き取りドラム６の回転が止まり、シェード巻き取り紐９の巻き取り動作が停止し、シェード５がその位置で停止する。したがって、シェード５は所望の位置まで上昇して停止することになる。
【００２６】
なお、上述の実施形態においては、シェード昇降線状体としてシェード巻き取り紐９を備えた電動サンシェード装置１について説明したが、シェード巻き取り紐９以外のシェード昇降線状体を代用しても構わない。
【００２７】
なお、上述の実施形態においては、一対のシンクロナスモーター７によって巻き取りドラム６を回転させる機構を備えた電動サンシェード装置１について説明したが、シンクロナスモーター７以外のモーターを代用することも可能である。或いはまた、１個のモーターで巻き取りドラム６を回転させることも無論できる。
【００２８】
なお、上述の実施形態においては、アルミニウム製のヘッドレール２、合成樹脂製のアーム支持ブラケット１２、合成樹脂製のマグネットホルダー１５、ステンレス製のリミッターアーム１７を備えた電動サンシェード装置１について説明したが、これらの部品の材質は特に限定されるわけではない。
【産業上の利用可能性】
【００２９】
本発明は、ローマンシェードをはじめとする各種の電動サンシェード装置に広く適用することができる。
【図面の簡単な説明】
【００３０】
【図１】本発明に係る電動サンシェード装置の一実施形態のシェード上昇状態を示す正面図である。
【図２】図１の電動サンシェード装置の最下点ストップリミッター近傍を示す右側面図である。
【図３】図１の電動サンシェード装置のシェード下降状態を示す正面図である。
【図４】図３の電動サンシェード装置の最下点ストップリミッター近傍を示す右側面図である。
【図５】図１の電動サンシェード装置の最下点ストップリミッターを示す斜視図である。
【図６】図１の電動サンシェード装置のアーム支持ブラケットを示す正面図（左図）および右側面図（右図）である。
【図７】図１の電動サンシェード装置のマグネットホルダーを示す正面図（上左図）、右側面図（上右図）および底面図（下図）である。
【図８】図１の電動サンシェード装置のリミッターアームを示す正面図である。
【図９】図１の電動サンシェード装置のモーターコントローラーを示す制御ブロック図である。
【符号の説明】
【００３１】
１……電動サンシェード装置
５……シェード
６……巻き取りドラム
７……シンクロナスモーター
９……シェード巻き取り紐（シェード昇降線状体）
１１……最下点ストップリミッター
１２……アーム支持ブラケット
１３……センサー（信号出力手段）
１５……マグネットホルダー
１６……マグネット
１７……リミッターアーム（張力検出手段）
２１……モーターコントローラー
２２……主制御部（線状体停止手段）
【図１】
2007125275.tif 000003
【図２】
2007125275.tif 000004
【図３】
2007125275.tif 000005
【図４】
2007125275.tif 000006
【図５】
2007125275.tif 000007
【図６】
2007125275.tif 000008
【図７】
2007125275.tif 000009
【図８】
2007125275.tif 000010
【図９】
2007125275.tif 000011